(57)【要約】【課題】高周波用接続部で外部導体の端面同士を内周側でギャップを生じることなく電気的に接続することを可能とした外部導体接触部構造である。【解決手段】高周波用同軸コネクタの雄雌のコネクタ１０、２０は、コンタクト導体１１、２１の周囲に間隙１２、２２を開けて外部導体１３、２３を設けてなり、雄コネクタの先端部を雌コネクタの凹部２４内に嵌合して、導体１１先端のピン１１ａを導体２１の中空部２１ａに嵌合接触し、導体１３の端面１３ａを導体２３の端面２３ａに接触して、それぞれコンタクト導体１１、２１同士、外部導体１３、２３同士を電気的に接続する。その外部導体１３の端面１３ａの内周縁部に外部導体２３方向の突出部１３ｂを形成して、端面１３ａ、２３ａ同士を内周側でギャップを生じることなく接触した。外部導体端面の内周側ギャップのＣ成分（静電容量）の影響によるコネクタの伝送特性の劣化を生じることなく、コネクタ１０、２０を接続できる。【選択図】　　　　図２
2004063263.tif 000002
【特許請求の範囲】
【請求項１】
外部導体の端面と外部導体の端面とを接触させて、該外部導体同士が電気的に接続される高周波用接続部の外部導体接触部構造において、前記外部導体のうちの一方の外部導体の端面の内周縁部に他方の外部導体方向に突出する突出部を形成したことを特徴とする高周波用接続部の外部導体接触部構造。
【請求項２】
前記一方の外部導体の端面を傾斜させることにより前記突出部を形成したことを特徴とする請求項１記載の接触部構造。
【請求項３】
前記一方の外部導体の端面に段部を設けることにより前記突出部を形成したことを特徴とする請求項１記載の接触部構造。
【請求項４】
前記一方の外部導体が高周波用同軸コネクタの一方のコネクタの外部導体であり、前記他方の外部導体が前記一方のコネクタと接続する他方のコネクタの外部導体であることを特徴とする請求項１〜３のいずれかの項に記載の接触部構造。
【請求項５】
前記一方の外部導体が、高周波用同軸アダプタの直列に接触配置された複数の外部導体の隣り合う同士の一方の外部導体であり、前記他方の外部導体が、前記隣り合う同士の他方の外部導体であることを特徴とする請求項１〜３のいずれかの項に記載の接触部構造。
【請求項６】
前記一方の外部導体が、電気機器のシャーシおよび該シャーシに接触して取り付けられるコネクタ部の二部材のうちの一方であり、前記他方の外部導体が前記二部材のうちの他方であることを特徴とする請求項１〜３のいずれかの項に記載の接触部構造。
【発明の詳細な説明】
【０００１】
【発明の属する技術分野】
本発明は、高周波用同軸コネクタ等の高周波用接続部における外部導体の接触部構造に関するものである。
【０００２】
【従来の技術】
高周波用同軸コネクタは、図８に示すように、コンタクト導体１１の周囲に間隙１２を開けて外部導体１３を設けた雄コネクタ１０と、同様にコンタクト導体２１の周囲に間隙２２を開けて外部導体２３を設けた雌コネクタ２０とからなり、雄コネクタ１０の先端部を雌コネクタ２０の凹部２４内に嵌合して、雄コネクタ１０のコンタクト導体１１のピン１１ａを雌コネクタ２０のコンタクト導体２１の中空部２１ａに接触嵌合して、コンタクト導体１１、２１同士を電気的に接続すると共に、外部導体１３の端面１３ａを雌コネクタ２０の凹部２４内外部導体２３の端面２３ａに接触して、外部導体１３、２３同士を電気的に接続している。
【０００３】
雌側の外部導体２３の端面２３ａに接触された雄側の外部導体１３の端面１３ａは、外部導体１３の外面に嵌挿したカップリングナット１５による外部導体２３の外面へのねじ締め付けによって、外部導体２３の端面２３ａに突き当てられ、外部導体１３、２３の端面同士の接触性を高めている。なお、符号１６は外部導体１３とカップリングナット１５との間に介挿されたばねリングである。
【０００４】
【発明が解決しようとする課題】
ところで、この雄コネクタ１０の外部導体１３は、所定の導体金属の丸棒にＮＣ制御のボール盤で軸方向の貫通孔を穿孔し、ＮＣ制御の旋盤で端面を軸に対し直角に切削することによって作製されるが、加工精度の誤差や加工技術の巧拙によっては、図９に示すように、端面１３ａが半径方向内側に向けてすり鉢状に傾斜した形状に作製されてしまうことがある。
【０００５】
このような形状に形成されると、雄コネクタ部１０の外部導体１３の端面１３ａが外周縁部でしか雌コネクタ２０の外部導体２３の端面２３ａに接触しなくなるので、図８に示すように、外部導体１３の端面１３ａの内周側で外部導体２３ａとの間にギャップＧが生じ、そのギャップＧによるＣ成分（静電容量）が発生して、Ｃ成分の影響でコネクタの伝送特性が劣化する。
【０００６】
従って、本発明の課題は、高周波用同軸コネクタ等の高周波用接続部において、外部導体の端面同士を内周側でギャップを生じることなく接触することを可能とした外部導体接触部構造を提供することである。
【０００７】
【課題を解決するための手段】
上記課題を解決するために、本発明は、外部導体の端面と外部導体の端面とを接触させて、該外部導体同士が電気的に接続される高周波用接続部の外部導体接触部構造において、
前記外部導体のうちの一方の外部導体の端面の内周縁部に他方の外部導体方向に突出する突出部を形成したことを特徴とする。
【０００８】
本発明によれば、前記一方の外部導体の端面を傾斜させることにより前記突出部を形成することができる。あるいは、前記一方の外部導体の端面に段部を設けることにより前記突出部を形成することができる。本発明の一態様によれば、前記一方の外部導体が高周波用同軸コネクタの一方のコネクタの外部導体であり、前記他方の外部導体が前記一方のコネクタと接続する他方のコネクタの外部導体である。他の一態様によれば、前記一方の外部導体が、高周波用同軸アダプタの直列に接触配置された複数の外部導体の隣り合う同士の一方の外部導体であり、前記他方の外部導体が、前記隣り合う同士の他方の外部導体である。さらに別の一態様によれば、前記一方の外部導体が、電気機器のシャーシおよび該シャーシに接触して取り付けられるコネクタ部の二部材のうちの一方であり、前記他方の外部導体が前記二部材のうちの他方である。
【０００９】
本発明の外部導体接触部構造では、高周波用接続部の一方の外部導体の端面の内周縁部に他方の外部導体方向に突出する突出部を形成したので、外部導体の端面同士を内周側でギャップを生じることなく接触でき、高周波用接続部の伝送特性を外部導体内周側のギャップのＣ成分（静電容量）による劣化のない高特性なものにすることができる。
【００１０】
【発明の実施の形態】
以下、本発明の実施の形態を詳述する。
【００１１】
図１は、本発明の外部導体接触部構造の一実施の形態を接続部に適用した高周波用同軸コネクタを示す断面図である。
【００１２】
図１において、符号１０は図４の同軸ケーブルＫ、Ｋ同士を接続する高周波用同軸コネクタの雄コネクタ、２０は雌コネクタである。
【００１３】
雄コネクタ１０は、コンタクト導体１１の周囲に外部導体１３が、軸方向奧側の図示しない絶縁体で支持で支持することによって間隙１２を開けて設けられている。外部導体１３の外面にはカップリングナット１５が嵌挿され、外部導体１３とカップリング１５の間には、軸方向の基端側にばねリング１６が、先端側にパッキン１７が介挿されている。外部導体１３の先端部には、外面側を縮径することによって、カップリングナット１５の先端部内側のねじ部１５ａとの間に環状の凹部１８が形成されている。コンタクト導体１１の先端部は、縮径すると共に先端を尖らせてピン１１ａに形成され、該ピン１１ａは外部導体１３の端面位置によりも外方に突出されている。なお、コンタクト導体１１はベリリウム銅、外部導体１３は黄銅、カップリングナット１５はステンレス、リングばね１６はベリリウム銅、パッキン１７はシリコンゴムで作成されている。
【００１４】
相手側の雌コネクタ２０は、コンタクト導体２１の周囲に外部導体２３が、同様に軸方向奧側の図示しない絶縁体で支持することによって、間隙２２を開けて設けられており、その外部導体２３は軸方向外方に突出して、内側にコンタクト導体２１が臨む環状の凹部２４が形成されている。コンタクト導体２１の凹部２４に臨む先端部は、貫通孔を同心に穿孔して中空部２１ａに形成されている。外部導体２３の先端部の外面にはねじ部２３ｂが形成される。同様に、コンタクト導体２１はベリリウム銅、外部導体２３は黄銅で作成されている。
【００１５】
コネクタ１０、２０同士を接続するには、図２に示すように、雄コネクタ１０を雌コネクタ２０に嵌め込んで、外部導体１３と凹部２４とを嵌合し、凹部１８と外部導体２３の先端部を嵌合することにより、コンタクト導体先端のピン１１ａをコンタクト導体２１の中空部２１ａに接触嵌合して、コンタクト導体１１、２１同士を電気的に接続し、これと同時に、外部導体１３の端面１３ａを凹部２４内の外部導体２３の端面２３ａに接触させ、外部導体１３、２３同士を電気的に接続する。そして外部導体１３、２３の端面同士の接触を確実にするために、カップリングナット１５のねじ部１５ａを外部導体２３の外面のねじ部２３ｂに締め付けて、外部導体１３の端面１３ａを外部導体２３の端面２３ａに突き当てれば、コネクタ１０、２０同士の接続が完了する。
【００１６】
さて、本発明では、雄コネクタ１０の外部導体１３の端面１３ａの内周縁部に軸方向外方に突出する突出部、つまり、雌コネクタ２０の外部導体２３方向に突出する突出部を形成した。本実施の形態によれば、雄コネクタ１０の外部導体１３の端面１３ａを、図３（ａ）に示すように、半径方向外方に向けて後退するように傾斜させることにより、端面１３ａの内周縁部に突出部１３ｂを形成した。
【００１７】
したがって、雄コネクタ１０の外部導体１３の端面１３ａは、雌コネクタ２０の外部導体２３の端面２３ａとの間で外周縁部でギャップを生じるが、内周縁部では外部導体１３の端面１３ａをギャップを生じることなく他方の外部導体２３の端面２３ａに接触できる。このため、外部導体１３、２３内周側のギャップによるＣ成分（静電容量）の発生がなく、コネクタ１０、２０の接続部をＣ成分の影響による伝送特性の劣化がない良好なものとすることができる。
【００１８】
本発明の高周波用同軸コネクタを用いて同軸ケーブルを接続したときの伝送特性の一例を図７に示す。従来の同軸コネクタを用いた場合には、雄コネクタと雌コネクタとの外部導体周縁部のギャップによるＣ成分の影響で、反射減衰量が周波数によって急激に増大し（図７（ａ））、また挿入損失が周波数によって急激に増大しているが（図７（ｂ））、本発明の同軸コネクタの場合には、反射減衰量も挿入損失も急激な変化が見られず、良好な伝送特性を示している。
【００１９】
以上の実施の形態では、雄コネクタ１０のコンタクト導体１３の端面１３ａを半径方向外方に向けて後退するように傾斜させることにより、端面１３ａの内周縁部に突出部１３ｂを形成したが、図３（ｂ）に示すように、端面１３の内周縁部近くに段部１３ｃを設けることにより、端面１３ａの内周縁部に突出部１３ｂを形成してもよい。さらには、突出部を雄コネクタ１０側ではなく、雌コネクタ２０の外部導体２３の端面２３ａの内周縁部に形成してもよい。
【００２０】
また、以上の実施の形態では、雄コネクタ１０の外面に設けたカップリングナット１５を雌コネクタ２０の外面に締め付けて、雄コネクタ１０の外部導体１３の端面１３ａを雌コネクタ２０の外部導体２３の端面２３ａに突き当てるようにしたが、ばねで外部導体１３の端面１３ａを外部導体２３の端面２３ａに突き当てる方式であってもよい。
【００２１】
図５は、本発明の他の実施の形態を示す断面図である。本実施の形態では、外部導体接触部構造を高周波用同軸アダプタの外部導体同士の接触部に適用した。
【００２２】
該アダプタ３０は、コンタクト導体３１の周囲に直列に接触配置した外部導体３５、３９が設けられ、コンタクト導体３１と外部導体３５、３９とで雄雌のコネクタ部３２、３６が両端に形成されている。アダプタ３０は、雄コネクタ部３２、雌コネクタ部３６に、先の実施の形態の雄雌のコネクタ２０、１０のような同軸ケーブルの雌雄のコネクタをそれぞれ接続するように使用される。
【００２３】
雄コネクタ部３２の部分では、コンタクト導体３１の周囲に間隙３３を開けて前記の外部導体３５が設けられると共に、コンタクト導体３１の先端部が外部導体３５の端面位置よりも外方に突出され、縮径しかつ先端が尖ったピン３１ａに形成されている。外部導体３５の雌コネクタ部３６寄りの外面は縮径されている。雌コネクタ部３６の部分では、コンタクト導体３１の雄コネクタ部３２に続く部分が縮径部３１ｃに形成されて、縮径部３１ｃに絶縁体３７が被覆されている。雌コネクタ３６の先端部は、貫通孔を穿孔することによって中空部３１ｂに形成される。絶縁体３７には、軸方向に貫通した空隙３７ａが周方向に間隔を開けて複数設けられる。
【００２４】
雌コネクタ部３６側では、前記の外部導体３９は、外部導体３１の周囲に縮径部３１ｃで絶縁体３７を介して、先端の中空部３１ｂを含む残りの部分で間隙３８を介して設けられている。該外部導体３９は軸方向外方に突出して、内側に図示しない雄コネクタを嵌合する環状の凹部４５が形成され、また外面には雄コネクタのカップリンゴナット内側のねじ部と螺合するねじ部３９ｂが形成されている。コンタクト導体３１の中空部３１ａは、凹部４５に臨んでいる。
【００２５】
上記の雌コネクタ部３２側の外部導体３９は、雄コネクタ部３２方向にも突出して、内側に環状の凹部４０が形成されており、該凹部４０に雄側の外部導体３５の縮径部分を嵌合して、外部導体３５の端面３５ａと外部導体３９の凹部４０内の端面３９ａとが突き当てられ、外部導体３５と３９とが電気的に接続されている。外部導体３９の凹部４０が形成された先端部の外面には、ばねリング４１を介してカップリングナット４２が嵌装され、このカップリングナット４２はピン３１ａよりも外方に延出して、内側のねじ部４２ａと外部導体３５との間に、図示しない雌コネクタの先端部が嵌合する環状の凹部４４が設けられている。外部導体３５とカップリングナット４２の間にはパッキン４３が介挿される。
【００２６】
本実施の形態によれば、雄コネクタ部３２の外部導体３５の端面３５ａは、段部を設けることにより、内周縁部に雌コネクタ部３６の外部導体３９の端面３９ａ方向の突出部３５ｂを設けている。したがって、外部導体３５の端面３５ａと外部導体３９の端面３９ａとを内周側にギャップを生じることなく接触でき、これにより、雄コネクタ部３２に接続した図示しない雌コネクタの同軸ケーブルと、雌コネクタ部３６に接続した図示しない雄コネクタの同軸ケーブルとを、Ｃ成分の影響による伝送特性の劣化を生じることなく接続することが可能になる。
【００２７】
以上の第２の実施の形態では、高周波用同軸アダプタは、２つの外部導体が直列に接触配置されているものを示したが、外部導体は３つ以上が直列に接触配置されていてもよく、隣り合う外部導体同士において、その一方の外部導体の端面の内周縁部に他方の外部導体の端面方向に突出する突出部を形成することにより、同様の効果を得ることができる。
【００２８】
また高周波用アダプタは、両端にコネクタ部を有するタイプのものを示したが、片側はコネクタ部であるが、他の片側が同軸ケーブルに接続するタイプのアダプタでもよく、あるいは他の片側が電気機器のシャーシに接続するタイプのアダプタでもよい。
【００２９】
本発明のさらに他の実施の形態を図６に示す。本実施の形態では、電気機器のシャーシ６０とこれに取り付けられた高周波用雄コネクタ部５０との間に、本発明の外部導体接触部構造を適用した。
【００３０】
該雄コネクタ部５０は、コンタクト導体５１の周囲に外部導体５３が絶縁体５２を介して設けられ、コンタクト導体５１の先端部は、縮径すると共に先端を尖らせてピン５１ａに形成され、該ピン５１ａは外部導体５３の先端部に設けられた環状の凹部５８内の端面位置よりも外方に突出されている。コンタクト導体５１の他端部は、シャーシ６０内の図示しない電気回路に接続されている。
【００３１】
外部導体５３の基端部はフランジ５３ｃに形成され、該フランジ５３ｃをねじ等によりシャーシ６０に取り付けることにより、雄コネクタ部５０がシャーシ６０に装着される。外部導体５３の外面にはカップリングナット５５が嵌挿され、外部導体５３とカップリング５５の間には、軸方向の基端側にばねリング５６が、先端側にパッキン５７が介挿される。外部導体５３の先端部には、外面側を縮径することによって、カップリングナット５５の先端部内側のねじ部５５ａとの間に前記の環状の凹部５８が形成される。この凹部５８に、図１の雌コネクタ２０のような雌コネクタが嵌合して接続される。
【００３２】
本実施の形態によれば、雄コネクタ部５０の外部導体５３の端面５３ａに段部を設けることにより、端面５３ａの内周縁部に相手側の外部導体、つまりシャーシ６０方向に突出する突出部５３ｂを設けた。したがって、雄コネクタ部５０の外部導体５３の端面５３ａを内周側にシャーシ６０との間でギャップを生じることなく接触でき、これにより、コネクタ部５０に接続した図示しない雌コネクタの同軸ケーブルと、シャーシ６０内の電気回路とを、Ｃ成分の影響による伝送特性の劣化を生じることなく接続することが可能になる。
【００３３】
以上の実施の形態では、いずれも、コネクタないしコネクタ部は、コンタクト導体の先端部がピンまたは中空体に形成された互いに嵌合接触する雌雄があるタイプを示したが、コンタクト導体の先端部が平坦で面接触する雌雄のないタイプのものであってもよい。
【００３４】
【発明の効果】
以上の説明から明らかなように、本発明の高周波用接続部の外部導体接触部構造によれば、高周波用同軸コネクタなど、高周波用接続部の外部導体の端面同士を内周側でギャップを生じることなく電気的に接続することができ、高周波用接続部を内周側のギャップによるＣ成分の影響のない良好な伝送特性を有するものとすることができる。
【図面の簡単な説明】
【図１】本発明の外部導体接触部構造の一実施の形態を接続部に適用した高周波用同軸コネクタを示す断面図である。
【図２】図１の高周波用同軸コネクタの雌雄のコネクタの接続状態を示す断面図である。
【図３】図１の雄コネクタの外部導体端面に形成する突出部の例を示す断面図である。
【図４】図１の雄雌のコネクタを示す側面図である。
【図５】本発明の他の実施の形態を示す断面図である。
【図６】本発明のさらに他の実施の形態を示す断面図である。
【図７】本発明の高周波用同軸コネクタを用いて同軸ケーブルを接続したときの伝送特性の一例を示すグラフである。
【図８】従来の高周波用同軸コネクタの雌雄のコネクタの接続状態を示す断面図である。
【図９】図８の雄コネクタの外部導体端面の状態を示す断面図である。
【符号の説明】
１０　　雄コネクタ
１１　　コンタクト導体
１３　　外部導体
１３ａ　端面
１３ｂ　突出部
１３ｃ　段部
２０　　雌コネクタ
２１　　コンタクト導体
２３　　外部導体
２３ａ　端面
３０　　アダプタ
３２　　雄コネクタ部
３６　　雌コネクタ部
５０　　雄コネクタ部
６０　　シャーシ
【図１】
2004063263.tif 000003
【図２】
2004063263.tif 000004
【図３】
2004063263.tif 000005
【図４】
2004063263.tif 000006
【図５】
2004063263.tif 000007
【図６】
2004063263.tif 000008
【図７】
2004063263.tif 000009
【図８】
2004063263.tif 000010
【図９】
2004063263.tif 000011